(57)【要約】【課題】スロットマシンの交換作業の容易化を各段に向上させることができ、摩擦固定方式による有利性を十分に享受できるスロットマシンの位置固定構造を提供する。【解決手段】遊技島１の支持枠２に収納されたスロットマシン３は前面位置を合わせた後、ネジ穴８ａに螺合する固定ネジで上面を押圧されて固定される。支持枠２の内方奥側には位置合わせ手段１２が固定されており、スロットマシン３を位置決めした後、スロットマシン３の底面と支持台４との僅かな隙間（操作用隙間）から操作部材１３のブレード１４が挿入され、位置合わせ手段１２の可動部材に引っ掛けて引くと、可動部材に設けられた当接片がスロットマシン３の背面に当接し、当接位置で可動部材がロックされることによりスロットマシン３の背面位置が固定される。【選択図】図１
2018075059.tif 000002
【特許請求の範囲】
【請求項１】
遊技島の支持枠内に挿入されて固定されるスロットマシンの背面側の位置を固定する位置固定構造であって、
前記支持枠の内方奥側に固定され、前記スロットマシンの背面に当接して該当接位置でロックされる可動部材を備えた位置合わせ手段と、
前記スロットマシンが前記支持枠内に挿入された状態で前記支持枠の外側から前記可動部材を動かす操作部材を挿入可能で、前記支持枠と前記スロットマシンとの間に設けられる操作用隙間と、を有することを特徴とするスロットマシンの位置固定構造。
【請求項２】
前記位置合わせ手段は、前記可動部材が前記スロットマシンの背面下側に当接するように配置され、前記操作用隙間が、前記スロットマシンの底面とこれに対向する前記支持枠の載置面との間に設けられていることを特徴とする請求項１に記載のスロットマシンの位置固定構造。
【請求項３】
前記支持枠の載置面に前記操作用隙間を形成するためのスペーサが設けられていることを特徴とする請求項２に記載のスロットマシンの位置固定構造。
【請求項４】
前記位置合わせ手段は、前記操作部材で前記可動部材のロック状態を解除できる構成を有していることを特徴とする請求項１乃至３のいずれか１つに記載のスロットマシンの位置固定構造。
【請求項５】
前記可動部材の前記スロットマシンの背面に当接する面に柔軟部材が設けられていることを特徴とする請求項１乃至４のいずれか１つに記載のスロットマシンの位置固定構造。
【請求項６】
遊技島の支持枠内に挿入されて固定されるスロットマシンの背面側の位置を固定する位置固定方法であって、
前記支持枠の内方奥側に、前記スロットマシンの背面に当接して該当接位置でロックされる可動部材を備えた位置合わせ手段を固定し、前記スロットマシンが前記支持枠に挿入された状態で前記支持枠の外側から前記支持枠と前記スロットマシンとの間の操作用隙間を介して操作部材を挿入し、該操作部材で前記可動部材を動かして前記スロットマシンの背面に当接させることを特徴とするスロットマシンの位置固定方法。
【請求項７】
前記スロットマシンの底面とこれに対向する前記支持枠の載置面との間に前記操作用隙間を形成し、該操作用隙間から、帯板状をなしその挿入方向先端側に前記可動部材に対する引っ掛け部を有する前記操作部材を挿入して前記可動部材を引き動かすことを特徴とする請求項６に記載のスロットマシンの位置固定方法。
【発明の詳細な説明】
【技術分野】
【０００１】
本発明は、スロットマシンの位置固定構造及びスロットマシンの位置固定方法に関する。
【背景技術】
【０００２】
従来、スロットマシンはパチンコ機と同様に、遊技島の支持枠内に挿入して位置決めした後、釘や木ネジ等の固定手段で固定するようになっている。
例えば、スロットマシンを支持枠の底面（支持台）に載せて前後位置を決めた後、支持枠の上方からスロットマシンの筐体をなす木質系のキャビネットボックスの天板に向けて釘を打ち込んだり、木ネジで固定している。
新台入れ替えをする場合、釘や木ネジ等の固定手段を取り外さなければならないが、このような固定手段による固定・取り外し作業は専門的な技量を要するため、営業時間外に専門業者により行われることが多く、入れ替え作業の高コスト化を招来している。
【０００３】
この問題に対処すべく、特許文献１には、キャビネットボックスの内部の上方両側にキャビネット固定装置を取り付けたものが提案されている。この固定装置は、スロットマシンの前面側から操作レバーを回動すると内部から摩擦固定用の突起を有する係合部が上方に突出するようになっている。係合部はキャビネットボックスの天板に形成されたスリットを貫通して支持枠に当接し、ロックされるようになっている。すなわち、支持枠に対する係合部の当接圧でスロットマシンを支持台側へ押圧して摩擦力で位置固定するようになっている。
【０００４】
上記のように、釘等を打ち込まずに当接圧による摩擦固定方式とすれば、操作レバーを回動するだけで支持枠に対するスロットマシンの固定・解除ができるので、専門技量を要さず、ホールの店員でも簡単に新台の入れ替え等の交換作業を行うことができる。
しかしながら、スロットマシンはドラム（リール）等の配置特性によって重心が背面側に寄り、且つ、プレーヤーによる押しボタン操作等の外力が背面側に向かって掛かるため、上面側のみを押圧して固定しても経時的に背面側へ位置がずれやすい。
この背面側への位置ずれを防止するために、スロットマシンの背面側にアクセスできるように支持枠を開放し、摩擦ロック機構でスロットマシンの背面を位置固定するような対策が講じられている。
【０００５】
摩擦固定方式は、釘等を打ち込んで位置固定する方式に比べるとスロットマシンの位置固定及びその解除操作は簡単ではあるが、背面側の位置固定では支持枠の開閉作業を要するため、交換作業全体としてはその有利性を十分に享受できていない。
【０００６】
また、同じ島に複数種類のスロットマシンを配置するレイアウトもあり、この場合、機種の違いやメーカーの違いにより前面側の皿の突出量が異なる。外観の見栄えを良くするために前面側が揃うように位置合わせをした場合、奥行寸法がマシン毎に異なり、摩擦ロック機構によりスロットマシン毎に背面位置を固定する作業は極めて面倒で煩雑であった。
【先行技術文献】
【特許文献】
【０００７】
【特許文献１】特開２００３−２２０１７２号公報
【発明の概要】
【発明が解決しようとする課題】
【０００８】
本発明はこのような現状に鑑みて創案されたもので、スロットマシンの交換作業の容易化を各段に向上させることができ、摩擦固定方式による有利性を十分に享受できるスロットマシンの位置固定構造及びスロットマシンの位置固定方法の提供を、目的とする。
【課題を解決するための手段】
【０００９】
上記目的を達成するために、本発明は、支持枠の内方奥側にスロットマシンの背面への当接位置を調整できるストッパ機構を設け、支持枠内にスロットマシンを挿入して位置決めした後に、支持枠の外側から僅かな隙間を介して操作部材を挿入し、該操作部材でストッパ機構を駆動してスロットマシンの背面位置を固定する構成とした。
【００１０】
具体的には、本発明のスロットマシンの位置固定構造は、遊技島の支持枠内に挿入されて固定されるスロットマシンの背面側の位置を固定する位置固定構造であって、前記支持枠の内方奥側に固定され、前記スロットマシンの背面に当接して該当接位置でロックされる可動部材を備えた位置合わせ手段と、前記スロットマシンが前記支持枠内に挿入された状態で前記支持枠の外側から前記可動部材を動かす操作部材を挿入可能で、前記支持枠と前記スロットマシンとの間に設けられる操作用隙間と、を有することを特徴とする。
例えばスロットマシンの上面を支持枠を貫通するボルトで押圧して固定し、その後に操作部材で支持枠の外側から可動部材を動かしてスロットマシンの背面を位置固定すれば、簡単な操作でスロットマシンの背面側への位置ずれ防止構成を構築できる。
位置固定構造はスロットマシンとは分離しているので、特許文献１のようにスロットマシン毎に設ける構成に比べて位置固定構造を共用でき、スロットマシン自体への付設、改修を要しないために低コスト化に寄与する。
【００１１】
また、本発明のスロットマシンの位置固定構造において、前記位置合わせ手段は、前記可動部材が前記スロットマシンの背面下側に当接するように配置され、前記操作用隙間が、前記スロットマシンの底面とこれに対向する前記支持枠の載置面との間に設けられている構成としてもよい。
この構成によれば、スロットマシンの背面に対する当接面積が少なくてもスロットマシンの背面側への位置ずれを効果的に防止できる。
【００１２】
また、本発明のスロットマシンの位置固定構造において、前記支持枠の載置面に前記操作用隙間を形成するためのスペーサが設けられている構成としてもよい。
この構成によれば、支持枠側に操作用隙間を形成する場合に比べて操作用隙間の形成が容易となる。
【００１３】
また、本発明のスロットマシンの位置固定構造において、前記位置合わせ手段は、前記操作部材で前記可動部材のロック状態を解除できる構成を有している構成としてもよい。
この構成によれば、スロットマシンの交換において奥行寸法が異なる場合でも位置合わせ手段の可動部材を再設定でき、スロットマシンの背面を正確に位置固定することができる。
【００１４】
また、本発明のスロットマシンの位置固定構造において、前記可動部材の前記スロットマシンの背面に当接する面に柔軟部材が設けられている構成としてもよい。
この構成によれば、支持枠とスロットマシンとの間に多少の組み付け誤差があってもスロットマシンの背面を正確に位置固定することができる。また、当接による部材間の衝撃を緩和することができる。
【００１５】
本発明のスロットマシンの位置固定方法は、遊技島の支持枠内に挿入されて固定されるスロットマシンの背面側の位置を固定する位置固定方法であって、前記支持枠の内方奥側に、前記スロットマシンの背面に当接して該当接位置でロックされる可動部材を備えた位置合わせ手段を固定し、前記スロットマシンが前記支持枠に挿入された状態で前記支持枠の外側から前記支持枠と前記スロットマシンとの間の操作用隙間を介して操作部材を挿入し、該操作部材で前記可動部材を動かして前記スロットマシンの背面に当接させることを特徴とする。
例えばスロットマシンの上面を支持枠を貫通するボルトで押圧して固定し、その後に操作部材で支持枠の外側から可動部材を動かしてスロットマシンの背面を位置固定すれば、簡単な操作でスロットマシンの背面側への位置ずれ防止構成を構築できる。
【００１６】
また、本発明のスロットマシンの位置固定方法において、前記スロットマシンの底面とこれに対向する前記支持枠の載置面との間に前記操作用隙間を形成し、該操作用隙間から、帯板状をなしその挿入方向先端側に前記可動部材に対する引っ掛け部を有する前記操作部材を挿入して前記可動部材を引き動かすようにしてもよい。
この方法によれば、操作部材による簡単な引っ張り動作でスロットマシンの背面を位置固定できる。
【発明の効果】
【００１７】
本発明によれば、スロットマシンの交換作業の容易化を各段に向上させることができ、摩擦固定方式による有利性を十分に享受できるスロットマシンの位置固定構造及びスロットマシンの位置固定方法を提供できる。
【図面の簡単な説明】
【００１８】
【図１】本発明の一実施形態に係るスロットマシンの位置固定構造を示す分解斜視図である。
【図２】位置合わせ手段の構成を示す分解斜視図である。
【図３】位置合わせ手段の概要縦断面図である。
【図４】図１のＸ−Ｘ線での概要断面図である。
【図５】図１のＹ−Ｙ線での概要断面図である。
【図６】操作部材による位置固定前の状態を示す図５相当図である。
【図７】操作部材による位置固定後の状態を示す図５相当図である。
【図８】スロットマシンの背面を位置固定した状態の斜視図である。
【図９】可動部材のロック状態を解除する操作を示す位置合わせ手段の概要縦断面図である。
【図１０】操作部材の変形例を示す平面図である。
【図１１】操作部材と位置合わせ手段の変形例を示す要部平面図である。
【発明を実施するための形態】
【００１９】
以下、本発明の一実施形態について図を参照して説明する。
図１は、遊技島１における任意の支持枠２と、該支持枠２内に挿入されて固定されるスロットマシン３とを示している。スロットマシン３は、実際には前扉や表示窓、上皿や各種の操作用スイッチ等を有しているが、直方体形状に略して表示している。
支持枠２は、支持台４と、支持枠本体５とからなり、支持枠本体５は、左右の側板６、７と、これらの上端を連結する上板８とを有している。
図示しないが、遊技島１の内部には、コインが流れるベルトコンベアや札が搬送されるシステムが配置されている。
【００２０】
支持台４の前側には、スロットマシン３の挿入時の磨耗を少なくし、且つ滑りをよくするためにステンレス板９が貼り付けられている。ステンレス板９には左右２箇所に穴が開けられており、該穴から鋼球１０の一部が突出している。鋼球１０は支持台４の内部に収容された不図示の付勢部材（コイルバネ）で上方に突出するように付勢されており、スロットマシン３の挿入時の滑りをさらに良くしている。上記付勢部材の付勢力は、スロットマシン３の底面がステンレス板９から浮かずに当接する程度である。
ステンレス板９の厚みは約１ｍｍであり、その奥側には２本の帯板状のスペーサ１１、１１がネジ等の手段で支持台４に固定されている。スペーサ１１の厚みは２ｍｍであり、これによりスロットマシン３を支持台４上に載置したときに、スロットマシン３の底面と支持台４との間、厳密にはステンレス板９との間には約１ｍｍの隙間（操作用隙間）が形成される。
【００２１】
上記構成により、支持台４に載置されたスロットマシン３の底面は、２つの鋼球１０と２本のスペーサ１１との４箇所の接触によって支持されている。各スペーサ１１は、スロットマシン３の底面を支持台４の表面である載置面から浮かして上記操作用隙間を形成する機能を有する。
支持枠２の内方奥側であって支持台４の背面には、位置合わせ手段１２が固定されている。支持枠本体５の上板８には、スロットマシン３を押圧して摩擦力で固定するめのネジ穴８ａが形成されている。
位置合わせ手段１２は、スロットマシン３が支持枠２内に挿入された状態で支持枠２の外側（前面側）から支持枠２とスロットマシン３との間の上記操作用隙間を介して挿入される操作部材１３によって動かされる。
操作部材１３は、薄肉で細長い帯板状のブレード１４と、把持部１５とからなり、ブレード１４の挿入方向先端側には引っ掛け部１４ａが形成されている。
位置合わせ手段１２、上記操作用隙間及びスペーサ１１、１１により、本実施形態におけるスロットマシンの位置固定構造が構成される。
各図において、操作部材のブレードの厚みは適宜省略する。
【００２２】
操作部材１３のブレード１４は、位置合わせ手段１２が外から見えない状態での手探り操作（感覚操作）が容易となる剛性を有するように、例えばステンレス材で形成されており、厚みは約１ｍｍ、幅は約３０ｍｍに設定されている。これらの数値はあくまでも一例である。
後述するように、ブレード１４の先端部１４ｂも位置合わせ手段１２を動かす機能（ロック解除機能）を有している。
【００２３】
図２に基づいて、位置合わせ手段１２の構成を説明する。
位置合わせ手段１２は、支持台４の背面側に固定されるベース１６と、ベース１６内に固定されたラック１７と、ラック１７のギヤ部に係合する係合部材１８と、係合部材１８と一体でベース１６の長手方向（支持枠２の奥行方向）に移動する可動部材１９とを有している。
ベース１６は、樋状のベース本体部２０と、ベース本体部２０に一体に形成され支持台４の背面４ａに固定される左右の固定片２１、２１と、ベース本体部２０に一体に形成され支持台４の表面４ｂに埋没状態に固定される固定片２２とを有している。
ラック１７はベース本体部２０と同様に樋状に形成され、左右上端にギヤ部１７ａ、１７ａを有している。
【００２４】
係合部材１８は、ギヤ部１７ａ、１７ａに係合する係合片２３と、係合片２３に一体に形成された弾性付与凸部２４と、係合片２３に螺合して固定された戻し用凸部としてのネジ２５とを有している。ネジ２５の軸部が係合片２３の下面側に突出している。
係合片２３はＴ字状に形成され、左右の肩角部２３ａ、２３ａがギヤ部１７ａに係合する。
可動部材１９は、ベース本体部２０に上下方向に抜け止めされた状態で嵌合するスライダ２６と、スロットマシン３の背面に当接する当接片２７ａを有しスライダ２６に固定される位置合わせプレート２７とを有している。
【００２５】
スライダ２６には弾性付与凸部２４を挿通する矩形の挿通孔２６ａが形成されているとともに、位置合わせプレート２７を固定するためのネジ穴２６ｂが形成されている。また、スライダ２６の奥側の左右上部には、ブレード１４の引っ掛け部１４ａを引っ掛け易くするためのＶ字状の引っ掛け凹部２６ｃが形成されている。
位置合わせプレート２７はスライダ２６の上面に沿う平板形状を有し、当接片２７ａはその一端部を折り曲げて形成されている。位置合わせプレート２７の平面部には、スライダ２６のネジ穴２６ｂに螺合する固定ネジ２８のネジ挿通孔２７ｂが形成されているとともに、弾性付与凸部２４の貫通用溝２７ｃが形成されている。ネジ挿通孔２７ｂは固定ネジ２８を緩めただけの状態でスライダ２６に対する位置合わせプレート２７の取り外しができる形状を有している。
【００２６】
図３に示すように、係合部材１８の弾性付与凸部２４は、Ｎ字状に曲げられてスライダ２６の挿通孔２６ａに挿通されている。
係合片２３の肩角部２３ａがラック１７のギヤ部１７ａに係合した状態では、肩角部２３ａがギヤ部１７ａを弾性力で押圧するように弾性付与凸部２４が変形しており、これによって可動部材１９、換言すれば当接片２７ａの位置がロックされている。
スロットマシン３の前面側において、スロットマシン３の底面と支持台４との間の僅かな隙間（操作用隙間）から挿入された操作部材１３のブレード１４の引っ掛け部１４ａをスライダ２６の引っ掛け凹部２６ｃに引っ掛けて引くと、弾性付与凸部２４の変形で係合片２３の肩角部２３ａがラック１７のギヤ部１７ａを弾性力が作用している状態で乗り越えて移動する。引き動作を止めた位置のギヤ部１７ａに肩角部２３ａが係合して当接片２７ａの位置が弾性力下でロックされる。
【００２７】
従って、当接片２７ａがスロットマシン３の背面に当たる位置まで操作部材１３を引くと、当接片２７ａの位置が自動的にロックされ、スロットマシン３の背面位置が固定される。
図３では位置合わせ手段１２の右側に操作部材１３のブレード１４を挿入して引っ掛ける場合を例示したが、操作部材１３を裏返しにすれば位置合わせ手段１２の左側に引っ掛けて可動部材１９を引くことができる。この場合もスロットマシン３の背面を同様に位置固定できる。
【００２８】
スロットマシン３の背面位置を固定した後は、スライダ２６の引っ掛け凹部２６ｃに対する係合を外して操作部材１３を引き抜けばよい。
ラック１７のギヤ部１７ａのピッチを狭くすればする程、スロットマシン３の背面位置の固定精度を高めることができる。
本実施形態では図２に示すように、当接片２７ａのスロットマシン３の背面に当接する面（対向面）に柔軟部材２９が設けられている。柔軟部材２９のクッション機能により、ラック１７のギヤ部１７ａと係合片２３間のバックラッシや部品間の組み付け誤差を吸収でき、設計上及び製造上の自由度が高められる。また、柔軟部材２９の緩衝機能により、当接の衝撃による部材間の損傷や緩みを防止できる。
柔軟部材２９の材料としては、スポンジ、ウレタンフォーム、フェルト、ゴム等を採用できる。他の図においては柔軟部材２９は省略している。
【００２９】
以下に、本実施形態に係るスロットマシンの位置固定構造による一連の位置固定操作を説明する。
図４に示すように、支持枠２内に挿入されたスロットマシン３は前面位置を合わせた後に、上板８のネジ穴８ａに螺合された２本の固定ネジ３０で上面（天板）を押圧して摩擦力のみで固定される。
スロットマシン３の底面側には、上述したように、ブレード１４を挿入可能な約１ｍｍの寸法ｇを有する操作用隙間３１が形成される。符号Ｗはブレード１４を挿入可能な操作用隙間３１の幅を示している。操作用隙間３１は約１ｍｍという僅かな寸法であるので、スロットマシン３の設置外観を損なうことはない。
【００３０】
図５に示すように、スロットマシン３の背面位置を固定する前は、位置合わせ手段１２の可動部材１９は、スロットマシン３の背面と当接片２７ａとの間に空隙が存在する状態に設定されている。換言すれば、奥行寸法が異なる種々の機種に対応できるように可動部材１９は最も奥側に位置するホームポジションに設定されている。
この状態で、支持枠２の外側（スロットマシン３の前面側）から操作部材１３のブレード１４が操作用隙間３１を介して挿入される。
【００３１】
作業者（例えばホールの店員）は位置合わせ手段１２を目視できないので、ブレード１４を挿入して引っ掛け部１４ａをスライダ２６の引っ掛け凹部２６ｃに引っ掛ける作業は手探りの感覚的なものとなる。
ブレード１４はある程度の剛性を有しており、且つ、挿入時にはその略半分が支持台４で支持されているので、ブレード１４は撓まずにほぼ水平の状態で移動する。引っ掛け部１４ａがスライダ２６の側面に当たった状態で該側面をなぞるようにブレード１４を挿入していくと、図６に示すように、スライダ２６の引っ掛け凹部２６ｃの位置で引っ掛け部１４ａが内方にずれるので、感覚的に引っ掛け位置に達したことが分かる。
【００３２】
この時点で操作部材１３を手前に引くと、図７に示すように、引っ掛け部１４ａが引っ掛け凹部２６ｃに係合するため可動部材１９が移動し、当接片２７ａがスロットマシン３の背面３ａに当接する。
上述のように、当接片２７ａがスロットマシン３の背面に当接した位置で可動部材１９は自動的にロックされるので、スロットマシン３の背面が位置固定される。
図８に示すように、位置合わせ手段１２は当接片２７ａがスロットマシン３の背面下側の中央部に当接するように配置されている。このように配置することにより、少ない当接面積でスロットマシンの背面位置を経時的に位置ずれしないように精度良く固定することができる。
操作用隙間３１におけるブレード１４の挿入位置の目印を支持台４に付し、且つ、引っ掛け部１４ａが引っ掛け凹部２６ｃに係合する挿入深さの目印（刻印等）をブレード１４に付しておけば、引っ掛ける手探り操作が極めて容易となる。
【００３３】
本実施形態の位置合わせ手段１２のような、スロットマシン３の背面位置を任意に固定することができるストッパ機構（摩擦ロック機構）を支持枠２の内方奥に固定するだけの構成も採用できる。しかしながら、スロットマシンを交換する場合、新たなスロットマシンの奥行寸法が異なってストッパ機構の再調整をする必要があるときは少なくともストッパ機構にアクセスできるように支持枠を開放しなければならず、面倒で労力を要する問題は依然として解消されない。
使用済みのスロットマシンを取り出した後に、開放された支持枠内の空間を利用して適当な工具等を用いてストッパ機構の位置を予め新台に合うように調整することは可能であるが、調整位置が新たに挿入されたスロットマシンの背面位置にフィットするとは限らない。
【００３４】
本実施形態の如く、スロットマシン３を支持枠２内に挿入した後に僅かな隙間（操作用隙間）を介して外側から操作部材１３を挿入し、可動部材１９に引っ掛けて駆動して当接片２７ａをスロットマシン３の背面に当接させる構成とすれば、遊技島を開放する面倒さや労力を要することなく簡単な操作でスロットマシン３の背面位置を高精度に固定することができる。
特許文献１等のように位置固定装置をスロットマシンの内部に設ける方式では、スロットマシン毎に位置固定装置が必要となるが、本発明に係る位置固定構造は種々のスロットマシンに共用できるメリットも有している。
【００３５】
新台入れ替え等のようにスロットマシン３を交換する場合には、既に設定されている当接片２７ａの位置が新台の奥行寸法にフィットするとは限らない。この場合には可動部材１９を一旦ホームポジションに戻して再設定する必要がある。
この場合には、スロットマシン３が支持枠２内から取り出された開放空間内で目視しながらの作業となるので、作業は容易となる。
なお、スロットマシン３を支持枠２内から取り出す場合には、固定ネジ３０を緩めるだけの簡単な操作となる。
【００３６】
可動部材１９をホームポジションに戻す解除操作を図９に基づいて説明する。
操作部材１３のブレード１４をスライダ２６の内部に進入するように挿入すると、ブレード１４の先端部１４ｂは係合片２３の下面に当たって斜めに案内され、ネジ２５に突き当たる。その状態でブレード１４を押し込むと、係合片２３が上方に持ち上げられるため、ラック１７のギヤ部１７ａと肩角部２３ａとの係合が外れ、可動部材１９は一気にスライドしてホームポジションに戻される。
本実施形態ではブレード１４の先端部がネジ２５に突き当たるようにしているが、係合片２３自体に折り曲げ等により突き当たり部を一体に形成してもよい。
【００３７】
可動部材１９の上記解除操作はスロットマシン３が支持枠２内に挿入されている状態でも可能である。すなわち、ブレード１４の先端部をスライダ２６の外面に当ててなぞりながら引くと、スライダ２６の手前側端で接触が外れてブレード１４がスライダ２６の内方にずれることが感覚的に分かる。この時点でブレード１４を押し込むとブレード１４はスライダ２６内に入り、上述のように先端部がネジ２５に突き当たる。
スロットマシン３が挿入されている状態での上記解除操作は、スロットマシン３の背面位置が固定された後で、スロットマシン３の前面位置が外方にずれていることが分かって位置合わせ手段１２の再設定が必要なケースで有利性を発揮する。
【００３８】
上記のように、本発明のスロットマシンの位置固定構造によれば、遊技島や支持枠を開放することなく簡単な操作でスロットマシン３の背面を位置固定できるので、スロットマシン３の経時的な位置ずれを防止することができる。
上記位置固定作業はホールの店員でも容易にできるので交換作業の容易化を各段に向上させることができる。専門業者によることなく新台入れ替え等の交換作業が容易且つ迅速にでき、ひいては遊技島の管理コストの低減にも寄与する。
【００３９】
本実施形態では操作部材１３のブレード１４を挿入するための操作用隙間３１をスペーサ１１によって形成する構成としたが、支持台４の載置面にブレード１４を挿入可能な操作用隙間としての凹部を形成してもよい。本発明における操作部材を挿入するための操作用隙間は常設構成に限定されない。すなわち、スロットマシン３の背面の位置固定をするときだけ一時的に形成されて位置固定操作後に解除される概念も含まれる。
スペーサ１１を用いない場合には、本発明のスロットマシンの位置固定構造は、位置合わせ手段１２と操作用隙間３１とによって構成される。
操作部材１３のブレード１４の幅は、可動部材１９のロック状態を解除できる剛性を確保することも含めて設定されているが、可動部材１９を引っ掛けて動かすだけの操作の場合には、図１０に示すように、細幅のブレード３３を有する操作部材３２でもよい。図１０において符号３４は把持部を、３３ａは引っ掛け部を示している。
【００４０】
操作部材のブレードは撓まずに水平に移動できる剛性を必ずしも必要としない。挿入時に先端部が多少撓んでも、例えばスライダ２６にブレードの先端部を案内するガイドを設け、引っ掛け凹部まで案内する構成とすることもできる。
また、ブレードの引っ掛け部は凸部構成に限定されない。スライダ２６の凸部にブレードの凹部を引っ掛ける構成としてもよい。
また、本実施形態ではスロットマシン３の底面と支持台４との間に操作部材１３を挿入するための操作用隙間を形成したが、本発明はこれに限定されない。すなわち、支持枠２の外側から位置合わせ手段１２を操作できればよい。
例えば位置合わせ手段１２をスロットマシン３の左右２箇所に配置し、左右の操作用隙間からそれぞれを操作するようにしてもよい。
【００４１】
図１１に示すように、ギヤ部３６ａが形成されたブレード３６を有する操作部材３５を操作用隙間から挿入し、位置合わせ手段の歯車３８を回転させる構成としてもよい。位置合わせ手段では歯車３８の回転力で可動部材が駆動される。
図１１において、符号３７は操作部材３５の把持部を示している。
【００４２】
以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。
本発明の実施の形態に記載された効果は、本発明から生じる最も好適な効果を例示したに過ぎず、本発明による効果は、本発明の実施の形態に記載されたものに限定されるものではない。
【符号の説明】
【００４３】
１  遊技島
２  支持枠
３  スロットマシン
３ａ  背面
１１  スペーサ
１２  位置合わせ手段
１３  操作部材
１４ａ  引っ掛け部
１９  可動部材
２９  柔軟部材
３１  操作用隙間
【図１】
2018075059.tif 000003
【図２】
2018075059.tif 000004
【図３】
2018075059.tif 000005
【図４】
2018075059.tif 000006
【図５】
2018075059.tif 000007
【図６】
2018075059.tif 000008
【図７】
2018075059.tif 000009
【図８】
2018075059.tif 000010
【図９】
2018075059.tif 000011
【図１０】
2018075059.tif 000012
【図１１】
2018075059.tif 000013